(57)【要約】【課題】携帯電話機、眼鏡などの物品を収容することができ、その取出しも容易に行うことができる物品収容ケースを提供すること。【解決手段】ポケット１２内へ物品２２を収容するための物品収容ケース。この物品収容ケースは、ポケット１２内へ収納され、且つ物品２２を内部へ収容するための変形自在な筒状本体部２４と、筒状本体部２４をポケット１２の上縁部１６に取り外し自在に装着するための装着手段２６と、筒状本体部２４から物品２２が滑り落ちないようにこの筒状本体部２４内へ保持するための保持バンド２８と、を具備している。【選択図】　　　図２
2004089565.tif 000002
【特許請求の範囲】
【請求項１】
ポケット内へ物品を収容するための物品収容ケースであって、ポケット内へ収納され、且つ物品を内部へ収容するための変形自在な筒状本体部と、前記筒状本体部をポケットの上縁部に取り外し自在に装着するための装着手段と、前記筒状本体部から物品が滑り落ちないようにこの筒状本体部内へ保持するための保持バンドと、を具備することを特徴とする物品収容ケース
【請求項２】
前記筒状本体部は変形自在な筒状体から構成されており、この筒状体の高さ（Ｈ）はポケットの深さ（Ｄ）よりも小さい寸法であり、前記筒状体の上縁部の周長はポケットの幅寸法（Ｗ）の２倍未満であり、これにより、前記筒状対に収容された物品は前記筒状体を介してポケットの底部によって保持されることを特徴とする請求項１に記載の物品収容ケース。
【請求項３】
前記筒状体の高さ（Ｈ）は、ポケットの深さ寸法（Ｄ）の１／２以上であることを特徴とする請求項２に記載の物品収容ケース。
【請求項４】
前記筒状本体部は、可撓性を有する合成樹脂シートから構成され、前記合成樹脂シートの両側端部を互いに接合して筒状に形成されており、前記筒状本体部の内面の少なくとも一部には多数の凹凸が設けられていることを特徴とする請求項１〜３のいずれかに記載の物品収容ケース。
【請求項５】
前記筒状本体部が起毛状布から構成され、前記起毛状布の両側端部を互いに接合して筒状に形成されており、前記筒状本体部の内面が起毛状面となっていることを特徴とする請求項１〜３のいずれかに記載の物品収容ケース。
【請求項６】
前記筒状本体部の上縁部であって、前記装着手段が装着された部位とは反対側の部位には、第１係止手段が取り付けられており、また前記保持バンドの基部は、前記装着手段に又は前記筒状本体部の前記第１係止手段と反対側の部位に取り付けられ、その先端部には第２係止手段が設けられており、前記第２係止手段が前記第１係止手段に着脱自在に係着されることを特徴とする請求項１〜５のいずれかに記載の物品収容ケース。
【請求項７】
前記第１および第２係止手段は、凸状及び凹状の面ファスナ、又は凸状及び凹状のホックから構成されていることを特徴とする請求項６に記載の物品収容ケース。
【請求項８】
前記装着手段がばねクリップから構成されていることを特徴とする請求項１〜８のいずれかに記載の物品収容ケース。
【請求項９】
前記保持バンドが、所定の幅及び長さを有する細長い合成樹脂シート又は起毛状布から構成されていることを特徴とする請求項１〜８のいずれかに記載の物品収容ケース。
【請求項１０】
前記筒状本体部に収容される物品が携帯電話機又は眼鏡であることを特徴とする請求項１〜９のいずれかに記載の物品収容ケース。
【発明の詳細な説明】
【０００１】
【発明の属する技術分野】
本発明は、携帯電話機、眼鏡などの小物品を衣服のポケット内へ安全に収容するための物品収容ケースに関する。
【０００２】
【従来の技術】
昨今の携帯電話機の普及に伴って、携帯電話機の持ち運びを容易にするために種々のケースが提案され実用に供されている。一例として、携帯電話機を取り出し易くするために、腰ベルトに取り付けられる携帯電話機用ケースが提案されている（例えば、特許文献１参照）。また、他の例として、人体の影響を低減し携帯電話機のアンテナの利得を高めるためアンテナ部分を人体から離れた位置に保持するための携帯電話機用ケースも提案されている（例えば、特許文献２参照）。更に、折畳み式携帯電話機のための収納及び取り外しを容易にするために、折畳可能な携帯電話機用ケースも提案されている（例えば、特許文献３参照）。
【０００３】
【特許文献１】
特開２００２―１３６３２２号公報（第２〜３頁及び第９図）
【特許文献２】
特開２００２−１６４９８４号公報（第２〜３頁及び第４図）
【特許文献３】
特開２００２−１８５５９２号公報（第２〜３頁及び第１図）
【発明が解決しようとする課題】
しかしながら、これらの携帯電話機用ケースは、特定機種専用のケース（例えば折畳み携帯電話機の特定機種用のケース、通常の携帯電話機の特定機種用ケース）であって、機種が異なれば携帯電話機を収容して使用することができない。そのため、携帯電話機の機種変更などをした場合には、それに伴って収容ケースまで新たに購入しなければならず、電話機利用者には不自由でり、また無駄な費用もかかっていた。また、公知の収容ケースは特定の携帯電話機を所定の方向に向けて収容することを強制するものであり、その電話機以外の物品、例えば眼鏡などを収容するということはできなかった。更に、これまでの収容ケースの一部では、収容した携帯電話機の取出しが煩雑であった。
【０００４】
本発明の目的は、携帯電話機、眼鏡などの物品を収容することができ、その取出しも容易に行うことができる物品収容ケースを提供することである。
また、本発明の他の目的は、構成が比較的簡単で、安価に製作することができるる物品収容ケースを提供することである。
【０００５】
【課題を解決するための手段】
本発明は、ポケット内へ物品を収容するための物品収容ケースであって、ポケット内へ収納され、且つ物品を内部へ収容するための変形自在な筒状本体部と、前記筒状本体部をポケットの上縁部に取り外し自在に装着するための装着手段と、前記筒状本体部から物品が滑り落ちないようにこの筒状本体部内へ保持するための保持バンドと、を具備する物品収容ケースである。
【０００６】
本発明の物品収容ケースに従えば、ポケットないに収納される筒状本体部を有し、この筒状本体部が変形自在に形成されているので、筒状本体部内に各種携帯電話機、各種眼鏡などの物品を収容することができ、汎用的な収容ケースとして使用することができる。また、ポケットの底部を利用し、この底部を収容ケースの底部として機能させるので、収容した物品はポケットの底部に受け入れられ、物品の重量は主としてポケットの底部に作用する。この筒状本体部は、装着手段をポケットの上縁部に装着することによってこのポケットに取り付けられるが、筒状本体部の底部が解放され、収容した物品がポケットの底部に支持される故に、ポケットの上縁部、具体的には装着手段の装着部位に物品の重量がほとんど作用せず、ポケットの型くずれを防止することができる。また、保持バンドが設けられているので、収容した物品が滑り落ちようとするとこの保持バンドに引っ掛かり、ポケットからの落下も防止することができる。
【０００７】
また、本発明では、前記筒状本体部は変形自在な筒状体から構成されており、この筒状体の高さ（Ｈ）はポケットの深さ（Ｄ）よりも小さい寸法であり、前記筒状体の上縁部の周長はポケットの幅寸法（Ｗ）の２倍未満であり、これにより、前記筒状体に収容された物品は前記筒状体を介してポケットの底部によって保持されることを特徴とする。
【０００８】
本発明の物品収容ケースに従えば、変形自在な筒状体の高さがポケットの深さよりも小さく、またその上縁部の周長はポケットの幅寸法の２倍未満であるので、この筒状体、即ち筒状本体部をポケットに収納することができ、収納した筒状体に携帯電話機などの物品を収容することができる。
【０００９】
また、本発明では、前記筒状体の高さ（Ｈ）は、ポケットの深さ寸法（Ｄ）の１／２以上であることを特徴とする。
本発明の物品収容ケースに従えば、筒状体の高さがポケットの深さの１／２以上であるので、この筒状体の下縁部はポケットの下部まで延び、これにより、筒状体内に物品を所要の通りに収容することができる。
【００１０】
また、本発明では、前記筒状本体部は、可撓性を有する合成樹脂シートから構成され、前記合成樹脂シートの両側端部を互いに接合して筒状に形成されており、前記筒状本体部の内面の少なくとも一部には多数の凹凸が設けられていることを特徴とする。
【００１１】
本発明の物品収容ケースに従えば、筒状本体部が可撓性の合成樹脂シートの両側端部を相互に接合して形成されるので、身近にある材料を用いて簡単に筒状本体部を形成することができる。また、筒状本体部の内面の少なくとも一部に多数の凹凸が設けられているので、かかる凹凸が収容された物品に作用し、これにより、収容した物品が筒状本体部の内面に吸着することを効果的に防止することができる。
【００１２】
また、本発明では、前記筒状本体部が起毛状布から構成され、前記起毛状布の両側端部を互いに接合して筒状に形成されており、前記筒状本体部の内面が起毛状面となっていることを特徴とする。
【００１３】
本発明の物品収容ケースに従えば、筒状本体部が起毛状布の両側端部を相互に接合することによって形成されるので、身近にある布を用いて簡単に形成することができる。また、筒状本体部の内面が起毛状面となっているので、この起毛状面が収容された物品に作用し、これにより、物品を保護することができるとともに、物品が筒状本体部の内面へ吸着することもない。
【００１４】
また、本発明では、前記筒状本体部の上縁部であって、前記装着手段が装着された部位とは反対側の部位には、第１係止手段が取り付けられており、また前記保持バンドの基部は、前記装着手段に又は前記筒状本体部の前記第１係止手段と反対側の部位に取り付けられ、その先端部には第２係止手段が設けられており、前記第２係止手段が前記第１係止手段に着脱自在に係着されることを特徴とする。
【００１５】
本発明の物品収容ケースに従えば、筒状本体部の所定の上縁部には第１係止手段が設けられ、また装着手段に取り付けられた保持バンドの先端部に第２係止手段が設けられているので、第１及び第２係止手段を相互に係着することによって、保持バンドは筒状本体部を跨ぐようになり、かくして、収容された物品が滑り落ちようとすると保持バンドに引っ掛かり、物品の筒状本体部からの落下を防止することができる。この保持バンドの基部は、装着手段ではなく、筒状本体部の所定上縁部（第１係止手段の装着部位とは反対側の部位）に取り付けるようにしてもよい。
【００１６】
また、本発明では、前記第１および第２係止手段は、凸状及び凹状の面ファスナ、又は凸状及び凹状のホックから構成されていることを特徴とする。
本発明の物品収容ケースに従えば、第１及び第２係止手段として、広く使用されている凸状及び凹状の面ファスナを用いることができ、このような面ファスナに代えて、凸状及び凹状のホックを用いるようにしてもよく、これらを用いることによって、容易に着脱自在に係着することができる。
【００１７】
また、本発明では、前記装着手段がばねクリップから構成されていることを特徴とする。
本発明の物品収容ケースに従えば、装着手段がばねクリップから構成されているので、ばね力を利用して筒状本体部をポケットの上縁部に確実に取り付けることができる。
【００１８】
また、本発明では、前記保持バンドが、所定の幅及び長さを有する細長い合成樹脂シート又は起毛状布から構成されていることを特徴とする。
本発明の物品収容ケースに従えば、保持バンドが細長い合成樹脂シート又は起毛状布から形成されているので、容易に変形させて第１及び第２係止手段を係着させることができととともに、筒状本体部とのデザイン上の統一を図ることができる。
【００１９】
また、本発明では、前記筒状本体部に収容される物品が携帯電話機又は眼鏡であることを特徴とする。
本発明の物品収容ケースでは、携帯電話機、眼鏡のケースとして好都合に用いることができる。
【００２０】
【発明の実施の形態】
以下、添付図面を参照して、本発明に従う物品収容ケースの実施形態について説明する。図１は、ポケット内に一実施形態の物品収容ケースを収納した状態を示す図であり、図２は、図１におけるＩＩ−ＩＩ線による断面図であり、図３は、図２の物品収容ケースを分解して示す分解斜視図である。
【００２１】
図１及び図２において、この物品収容ケース２０は、公知の例えばシャツ１０の胸ポケット１２内に収納され、このように収納した状態で使用される。このようなポケット１２は、上着、ジャケットなどの胸ポケットにも同様に用いることができ、胸ポケット１２以外に、ズボンのポケット、カバン、ハンドバック、リュックサック、その他の各種バッグ類のポケット内に収納して同様に用いることができる。
【００２２】
図示の物品収容ケース２０は、例えばシャツ１０のポケット１２内へ収納される筒状本体部２４を備え、この筒状本体部２４内に後述するように物品２２、例えば携帯電話機、眼鏡、手帳が収容され、特に携帯電話機、眼鏡を収容するために好都合に用いることができる。筒状本体部２４は、変形自在な筒状体から構成されている。この筒状本体部２４には、収容ケース２０をポケット１２の上縁部１６へ取り外し自在に装着するための装着手段２６と、筒状本体部２４から携帯電話機などの物品２２が滑り落ちないように保持するための保持バンド２８とが設けられ、これらが収容ケース２０を構成している
図３をも参照して、この筒状本体部２４は、内部への物品２２の収容を容易にするために概ね円筒形状を有しているが、図３に示すように断面が楕円形をなすような円筒形状にするのが好ましい。筒状本体部２４の高さＨ（図３参照）は、約７〜１２ｃｍ程度であり、収納するポケット１２の深さ寸法Ｄ（図１参照）よりも小さく形成されるが、多くの種類のシャツ１０のポケット１２へ容易に装着することができるように上述した高さ寸法に形成される。なお、一般的に、この筒状本体部２４の高さＨは、ポケット１２の深さ寸法Ｄ未満（Ｈ＜Ｄ）であり、且つポケット１２の深さ寸法Ｄの１／２倍以上である（Ｄ／２）≦Ｈであるのが望ましく、ポケット１２に対してこのような大きさにすることによって、ポケット１２の形状くずれを防止することができるとともに、物品２２を筒状本体部２４内に所要の通りに収容することができ、また物品２２の収納、取出しも容易に行うことができる。
【００２３】
また、この筒状本体部２４の上縁部の周長は、ポケット１２の幅寸法Ｗの２倍未満であり、このような寸法に形成することによって、筒状本体部２４をポケット１２内へ差し入れすることができる。この筒状本体部２４の上縁部の周長は収容可能な物品２２の大きさに影響し、この周長が小さくなるとそれだけ本体部２４内へ収容される物品収容容積が小さくなる。それ故に、物品収容容積を大きくするためには、筒状本体部２４の周長をポケット１２の幅寸法Ｗの２倍の大きさ（２×Ｗ）に近づけるのが望ましい。
【００２４】
筒状本体部２４は、形状保持性、加工容易性、取扱容易性、入手容易性などの理由により、可撓性の例えば約１ｍｍ程度の厚みを有する合成樹脂シートから構成され、この合成樹脂シートの両側端部を熱溶着又は接着剤その他の公知の接合手段で互いに接合して筒状に形成される。この筒状本体部２４の内面３０の少なくとも一部には、小さな多数の凹凸を設けるのが好ましく、このような凹凸は例えば凹凸面乃至凹凸模様として設けることができる。多数の凹凸は、合成樹脂シートを製造する際に、或いはこのシートの両側端部を接合する際に熱加工等により設けることができる。筒状本体部２４の内面に多数の凹凸を設けることによって、これら凹凸が収容した物品２２の表面に作用し、物品２２が筒状本体部２４の内面に吸着するのを防止することができる。
【００２５】
この筒状本体部２４は、合成樹脂シートに代えて、変形自在な他の素材、例えば毛布状布から構成することもでき、起毛状布の両側端部を接着剤又は縫付けその他の公知の接合手段で互いに接合して筒状に形成される。この場合には、起毛状布の起毛状面が筒状本体部２４の内面３０となるように構成され、このようにすることによって、収容した物品２２を保護することができる。なお、起毛状布を用いた場合、物品２２が筒状本体部２４の内面３０に吸着することもない。
【００２６】
装着手段２６は、この筒状本体部２４の上縁部に取り付けられている。この実施形態では、装着手段２６はそれ自体公知のばねクリップから構成され、例えばそれ自体公知の洗濯挟み様のクリップ（図２、図３参照）から構成されている。このばねクリップは、図２に示すように、中間部を互いに枢着された一対のピンチ部材４２を備え、これらピンチ部材４２が、両者間に介在されたばね部材４４によって、これらの下端部が相互に弾圧接触するようにばね付勢されている。このようなピンチ部材４２は、例えば合成樹脂又は金属から形成される。
【００２７】
この実施形態では、図３に示すように、一方のピンチ部材４２（図２及び図３において左側のピンチ部材）の下部には、小さい開口４６が形成されており、この開口４６には、後述するように、公知の固着手段６０が挿通され、保持バンド２８の基部の開口５０及び筒状本体部２４の上縁部の開口３６を通してこれらが取付られる。このように構成されているので、一対のピンチ部材４２の先端部をポケット１０の上縁部に挟むことによって、図２に示すように、筒状本体部２４をポケット２４内に着脱自在に収納することができる。
【００２８】
図示の保持バンド２８は、図３に示すように、所定の幅及び長さを有する細長い変形自在な部材から構成され、例えば、筒状本体部２４と同一の材質、例えば可撓性の約１ｍｍ程度の厚みを有する合成樹脂シート、起毛状布などから形成される。保持バンド２８の一端部（基部）には小さい開口５０が形成されており、この開口５０を通して装着手段２６に取り付けられる。この保持バンド２８の他端部（先端部）の片面には、それ自体公知の面状ファスナーから構成される第１係止手段５２が両面粘着テープ、接着剤、縫い付けなどの手段によって取り付けられている。
【００２９】
更に、筒状本体部２４の上縁部の所定部位、具体的には装着手段２６が取り付けられた部位とは反対側の部位に、公知の面ファスナーから構成される第２係止手段３４が例えば両面粘着テープ、接着剤又は縫い付けなどにより取り付けられている。第１及び第２係止手段３４，５２は相互に着脱自在に係着され、このように係着することによって、図２に破線で示すように、保持バンド２８は筒状本体部２４の上方を跨って位置する。従って、このような係着状態では、筒状本体部２４に収容された物品２２が滑り落ちようとするとこの保持バンド２８に引っ掛かり、ポケット１２からの落下を防止する。第１及び第２係止手段３４，５２は、それらの一方が凸状の面ファスナで、それらの他方が凹状の面ファスナから構成される。
【００３０】
物品２２をポケット１２内に保持するための保持バンド２８は、伸縮可能な弾性素材、例えば帯状ゴムバンドなどから構成することも可能である。この場合には、保持バンド２８は、物品２２を筒状本体部２４へ弾性的に保持するようになり、例えば、収容する物品２２が筒状本体部２４から多少はみ出すようなものでも安全に保持することができる。なお、保持バンド２８の幅寸法はポケット１２の幅寸法Ｗに近接する程度まで広げることができる。この保持バンド２８は全長にわたって同一の幅寸法である必要はなく、例えば、両端部を狭く、中間部を幅広く形成するようにしてもよく、このような形状にすることによって、物品の滑り出しを効果的に防止することができる。
【００３１】
図２に示すように、保持バンド２８の一端部と装着手段２６の一方のピンチ部材４２と筒状本体部２４とは、固着手段６０を介して互いに連結されている。図３を参照しながら、より詳細に述べると、図示の形態では、固着手段６０は、小ネジ６２と、ワッシャ６４と、ナット６６から構成されている。小ネジ６２はワッシャ６４を介して保持バンド２８の第２係止手段５２が固着されている面側からこの保持バンド２８の基部部の開口５０へ挿通される。次いで、小ネジ６２は装着手段２６を構成している一方のピンチ部材４２の下端部の開口４６へ挿通され、更に筒状本体部２４の上縁部に設けた開口３６へその内側面から外側面へ挿通され、最後に筒状本体部２４の外側面にてナット６６によってネジ止めされる。このように取り付けることにより、保持バンド２８、装着手段２６及び筒状本体部２４を一体化して確実に取り付けることができる。
【００３２】
図示形態では、保持バンド２８は装着手段２６に一体的に取付けらているれが、保持バンド２８の取付けはこれに限定されるものではなく、例えば、保持バンド２８の基部を両面接着テープや接着剤などを使用して筒状本体部２４の上縁部の所定部位、具体的には第１係止手段３４の装着部位とは反対側の部位に直接的に接合するようにしてもよく、このようにした場合、保持バンド２８の基部の開口５０は不要となる。
【００３３】
更に、この実施形態においては、保持バンド２８の先端部の片面（即ち、装着手段２６に対向する面）には第２係止手段５２が取付けられ、この第２係止手段５２が筒状本体部２４の上縁部の第２係止手段３４に着脱自在に係止される構成となっているが、第１及び第２係止手段３４、５２としてはこれらの面状ファスナーの代わりにホックなどのその他の着脱自在に係着可能な手段を用いてもよく、例えばホックを用いる場合、第１及び第２係止手段３４，５２の一方が凸状ホック、それらの他方が凹状ホックから構成される。
【００３４】
上述した物品収容ケース２０を使用する場合、まず、この収容ケース２０を例えばポケット１２内へ収納する。このとき、図２に示すように、物品収容ケース２０の第１係止手段３４が使用者の身体に接近した側に、装着手段２６がポケット１２の外側、即ち前面側に位置するように収容する。次いで、装着手段２６を構成している一対のピンチ部材４２の下端部をばね部材４４の弾性力に抗して開放し、一対のピンチ部材４２によってポケット１２の上縁部１６を挟持し、物品収容ケース２０をポケット１２の内部へ挿し込んでそこへ取り付ける。このとき、筒状本体部２４の下端部３８は、ポケット１２の底部１４から幾分浮上した位置関係に保持される。
【００３５】
次いで、略楕円形に開口している筒状本体部２４の上縁部３７の開口を通してこの筒状本体２４内へ携帯電話機、眼鏡、手帳などの物品２２を収容する。このように収容すると、挿入した物品２２は、筒状本体部２４を通してポケット１２の底部１４付近に接し、その底部１４に支持された状態で保持される（図２参照）。その後、保持バンド２８の先端部を矢印３９で示すようにシャツ１０側、即ち身体側に引き寄せ、図２に破線で示すようにて筒状本体部２４の第２係止手段３４に離脱自在に係着する。かくすると、保持バンド２８は収容した物品２２の上方を跨って位置し、収容した物品２２は保持バンド２８によって保持され、物品２２の下方部はポケット１２の底部１４によって保持され、更に物品収容ケース２０自体は装着手段２６によってポケット１２に装着されているので、物品２２は筒状本体部２４及びポケット１２内へ、そこから離脱しないように安全に保持される。この保持状態においては、収容した物品２２の重量はポケット１２の底部１４に作用するので、装着手段２６が取り付けられたポケット１２の上縁部に実質上作用せず、ポケット１２が型くずれすることもない。
【００３６】
収容した物品２２を取り出すときには、保持バンド２８の第２係止手段５２と筒状本体部２４の第１係止手段３４との係着状態を解除することにより、筒状本体部２４の上方が開放され、収容された物品２２を筒状本体部２４及びポケット１２内から上方に持ち上げることによって容易に取り出すことができる。
【００３７】
図４は、収容ケースの変形形態を示す、図２に対応する図である。この図４の変形形態においては、装着手段の構成が上述したものと相違している。図１〜図３の実施形態では、装着手段２６は、洗濯挟み様の形態を有しているが、図４に示す変形形態においては、装着手段２６ａは、概ね直角に曲げられているベルクランク状の操作片７２により操作される可動のピンチ部材７４と、この可動のピンチ部材７４を不作動時に開放位置へ弾性保持する板状のばね部材７６と、上述したと同様に筒状本体部２４ａが装着される不動のピンチ部材７８と、から構成されている。この装着手段２６ａは、例えばサスペンダーにおいて一般に広く使用されているような公知のばねクリップである。更に、上述した形態においては、保持バンド２８の基部は固着手段６０によって装着手段２６に固着されているが、図４の変形形態においては、保持バンド２８ａの基部は、可動のピンチ部材７４とばね部材７６との間に接着剤又は両面接着テープによって固着されている。その他の構成は、上述した実施形態と実質的に同様である。なお、不動のピンチ部材７８には、公知の手段、例えば両面接着テープ、接着剤、小ネジ及びナットの組合せなどにより筒状本体部２４ａが固着される。
【００３８】
図示の変形形態では、不動のピンチ部材７８が筒状本体部２４ａの内側へ固着されているが、これに限定されるものではなく、筒状本体部２４ａの外側へ固着するようにしてもよい。
【００３９】
この物品収容ケース２０ａの使用方法について説明すると、上述したものと同様に、まず、物品収容ケース２０ａを例えばポケット１２内へ収容する。このとき、物品収容ケース２０ａの本体部２４ａへ取付けた第１係止手段３４ａが使用者の身体に接近した側に、装着手段２６ａがポケット１２の外側に位置するように収容する。次いで、図４に示す位置まで操作片７２を跳ね上げ、装着手段２６ａの可動のピンチ部材７４をばね部材７６の弾性力により開放し、このピンチ部材７４によってポケット１２の上縁部１６ａを不動のピンチ部材７８との間に挟み込む。次に、図４において矢印７０で示すように操作片７２を回動してポケット１２の上縁部１６ａを一対のピンチ部材７４，７８によって挟圧保持し、物品収容ケース２０ａをポケット１２内に収容した状態でポケット１２の上縁部に取り付ける。このとき、物品収容ケース２０ａの筒状本体部２４ａの下端部３８ａは、ポケット１２の底部１４から幾分浮上した位置関係となる。
【００４０】
そして、上述したと同様に、略楕円形に開口している本体部２４ａの上縁部３７ａから筒状本体部２４ａ内へ携帯電話機、眼鏡などの物品２２ａを収容し、保持バンド２８ａの先端部を引寄せて第２係止手段５２ａを、筒状本体部２４ａの第２係止手段３４ａへ係着すればよく、このようにすることによって、物品２２ａを上述したと同様にして筒状本体部２４ａ及びポケット１２内へ収容することができる。
【００４１】
この変形形態においても、保持バンド２８ａの基部を直接的に筒状本体部２４ａの上縁部へ接着剤、両面接着テープ、縫込みなどの手段によって取付けるようにしてもよい。また、装着手段としては、上述した形態のものに限定されず、会社や事務所において名札など装着に際して広く使用されている種々のクリップタイプのものを用いることができる。
【００４２】
【発明の効果】
本発明の請求項１の物品収容ケースによれば、ポケットないに収納される筒状本体部が変形自在に形成されているので、筒状本体部内に各種携帯電話機、各種眼鏡などの物品を収容することができ、汎用的な収容ケースとして使用することができる。また、ポケットの底部を利用し、この底部を収容ケースの底部として機能させるので、収容した物品はポケットの底部に受け入れられ、物品の重量は主としてポケットの底部に作用し、ポケットの型くずれなく物品を収容することができる。また、保持バンドが設けられているので、収容した物品のポケットからの滑り落ちも防止することができる。
【００４３】
また、本発明の請求項２の物品収容ケースによれば、変形自在な筒状体がｓポケットに対して所定の大きさであるので、この筒状体をポケットに収納することができ、収納した筒状体に携帯電話機などの物品を収容することができる。
【００４４】
また、本発明の請求項３の物品収容ケースによれば、筒状体の高さがポケットの深さの１／２以上であるので、この筒状体の下縁部はポケットの下部まで延び、これにより、筒状体内に物品を所要の通りに収容することができる。
【００４５】
また、本発明の請求項４の物品収容ケースによれば、筒状本体部が可撓性の合成樹脂シートの両側端部を相互に接合して形成されるので、簡単に筒状本体部を形成することができる。また、筒状本体部の内面の少なくとも一部に多数の凹凸が設けられているので、収容した物品が筒状本体部の内面に吸着することを効果的に防止することができる。
【００４６】
また、本発明の請求項５の物品収容ケースによれば、筒状本体部が起毛状布の両側端部を相互に接合することによって形成されるので、簡単に形成することができる。また、筒状本体部の内面が起毛状面となっているので、収容した物品を保護することができるとともに、この物品が筒状本体部の内面へ吸着することもない。
【００４７】
また、本発明の請求項６の物品収容ケースによれば、第１及び第２係止手段を相互に係着することによって、保持バンドは筒状本体部を跨ぐように位置するので、この保持バンドにより物品の筒状本体部からの滑り落ちを防止することができる。
【００４８】
また、本発明の請求項７の物品収容ケースによれば、第１及び第２係止手段として、凸状及び凹状の面ファスナ、又は凸状及び凹状のホックを用いることができる。
また、本発明の請求項８の物品収容ケースによれば、ばね力を利用して筒状本体部をポケットの上縁部に確実に取り付けることができる。
【００４９】
また、本発明の請求項９の物品収容ケースによれば、保持バンドが細長い合成樹脂シート又は起毛状布から形成されているので、容易に変形させて第１及び第２係止手段を係着させることができととともに、筒状本体部とのデザイン上の統一を図ることができる。
また、本発明の請求項１０の物品収容ケースによれば、携帯電話機、眼鏡のケースとして好都合に用いることができる。
【図面の簡単な説明】
【図１】本発明に従う一実施形態の物品収容ケースをポケットに収納した状態を示す図である。
【図２】図１におけるＩＩ−ＩＩ線による断面図である。
【図３】図２の物品収容ケースを分解して示す分解斜視図である。
【図４】物品収容ケースの変形形態を示す、図２に対応する図である。
【符号の説明】
１０　シャツ
１２　ポケット
２０，２０ａ　物品収容ケース
２２，２２ａ　物品
２４，２４ａ　筒状本体部
２６，２６ａ　装着手段
２８，２８ａ　保持バンド
３４，３４ａ　第１係止手段
５２，５２ａ　第２係止手段
【図１】
2004089565.tif 000003
【図２】
2004089565.tif 000004
【図３】
2004089565.tif 000005
【図４】
2004089565.tif 000006